(57)【要約】      （修正有）【課題】被写体である患者や当該患者以外の人等に、放射線の照射が終了したか否かを的確に認識させることが可能な放射線画像撮影システムを提供する。【解決手段】回診車５０に搭載された放射線発生装置５７、または可搬型の放射線発生装置と、二次元状に配列された複数の放射線検出素子を備えるＦＰＤカセッテ１とを備え、ＦＰＤカセッテ１で一連の複数枚の放射線画像を撮影して動画撮影を行う放射線画像撮影システム１００において、さらに、一連の複数枚の放射線画像の撮影が終了するまでの残り時間τを算出する算出装置７０と、算出された残り時間τを表示する表示装置８０、８０Ａ、８０Ｂとを備える【選択図】図５
2017104200.tif 000002
【特許請求の範囲】
【請求項１】
回診車に搭載された放射線発生装置、または可搬型の放射線発生装置と、
二次元状に配列された複数の放射線検出素子を備えるＦＰＤカセッテと、
を備え、前記ＦＰＤカセッテで一連の複数枚の放射線画像を撮影して動画撮影を行う放射線画像撮影システムにおいて、
さらに、一連の複数枚の放射線画像の撮影が終了するまでの残り時間を算出する算出装置と、
算出された前記残り時間を表示する表示装置と、
を備えることを特徴とする放射線画像撮影システム。
【請求項２】
前記算出装置は、前記放射線発生装置から放射線の照射が開始されるとタイマーによる経過時間の計測を開始させるとともに、設定された撮影時間から前記タイマーが計測した経過時間を減算して前記残り時間を算出することを特徴とする請求項１に記載の放射線画像撮影システム。
【請求項３】
前記表示装置は、前記算出手段としての機能を備えることを特徴とする請求項１または請求項２に記載の放射線画像撮影システム。
【請求項４】
前記表示装置は、前記回診車に搭載されていることを特徴とする請求項１から請求項３のいずれか一項に記載の放射線画像撮影システム。
【請求項５】
前記表示装置は、表示画面を備えており、当該表示画面の向きを変えることができるように構成されていることを特徴とする請求項１から請求項４のいずれか一項に記載の放射線画像撮影システム。
【請求項６】
前記算出装置は、前記回診車に搭載されていることを特徴とする請求項１から請求項５のいずれか一項に記載の放射線画像撮影システム。
【請求項７】
前記算出装置は、携帯端末で構成されていることを特徴とする請求項１から請求項５のいずれか一項に記載の放射線画像撮影システム。
【請求項８】
表示画面を備えた携帯端末を備え、
前記携帯端末は、前記表示画面上に前記残り時間を表示させることを特徴とする請求項１から請求項７のいずれか一項に記載の放射線画像撮影システム。
【発明の詳細な説明】
【技術分野】
【０００１】
本発明は、放射線画像撮影システムに係り、特に回診車に搭載された放射線発生装置や可搬型の放射線発生装置を備える放射線画像撮影システムに関する。
【背景技術】
【０００２】
従来のフィルム／スクリーンや輝尽性蛍光体プレート等に代わる放射線画像の撮影装置として、例えば後述する図２に示すように、複数の放射線検出素子７が二次元状（マトリクス状）に配列され、被写体を透過した放射線を、各放射線検出素子７でその強度に応じて画像データＤに変換して読み出すＦＰＤ（flat panel detector）カセッテが開発されてきた。
【０００３】
そして、従来のフィルム／スクリーンや輝尽性蛍光体プレートでは、それらに放射線を複数回照射すると二重露光や多重露光の問題が生じてしまい、被写体の動画撮影を行うことができない。それに対し、ＦＰＤカセッテでは、読み出した画像データＤを装置内の記憶手段２３（後述する図２参照）に保存しておくことができるため、被写体の動態撮影等の動画撮影を行うことが可能となる。
【０００４】
なお、動態撮影とは、例えば被写体である患者の胸部に放射線を複数回照射し、例えば図１０に示すように、患者の肺野Ｒの各時間位相Ｔ（Ｔ＝ｔ０〜ｔ６）の各放射線画像（動態撮影の場合にはフレーム画像等ともいう。）を取得する撮影をいう。そして、それらの各放射線画像をさらに解析する等して診断に応用する試みがなされるようになってきている。また、本発明では、動画撮影は、上記の動態撮影に限定されず、放射線を、被写体に複数回照射し、或いは被写体に連続して照射し、複数枚の放射線画像を撮影するものであればどのような態様であってもよい。
【０００５】
一方、このようなＦＰＤカセッテを用いた動画撮影は、設備が整った撮影室等で行われる場合もあるが、例えば患者が撮影室まで来ることができないような場合には、ＦＰＤカセッテや、放射線発生装置等が搭載された回診車（例えば特許文献１、２等参照）を病院等の病室に持ち込み、被写体である患者の胸部等の撮影部位に放射線を複数回照射して動画撮影が行われる場合もあり得る。
【０００６】
また、例えば図１１に示すような可搬型の（すなわちいわゆるポータブルの）放射線発生装置５７＊が病室に持ち込まれて動画撮影が行われる場合もある。なお、図１１では、可搬型の放射線発生装置５７＊の本体部分のみが記載されているが、使用時には、可搬型の放射線発生装置５７＊が図示しない台や脚等に固定された状態で使用される。
【先行技術文献】
【特許文献】
【０００７】
【特許文献１】特開２００３−３１０５９５号公報
【特許文献２】特開２０１４−２０４７８３号公報
【発明の概要】
【発明が解決しようとする課題】
【０００８】
ところで、例えば動画撮影が動態撮影である場合には、放射線発生装置から被写体である患者に２０秒程度の間、放射線が照射されて図１０に示したような各放射線画像の撮影が行われるが、その間、患者は姿勢を維持しなければならない。そのため、患者が動態撮影に慣れていない場合、患者は、放射線の照射が開始された後、あとどれくらいの時間、姿勢を維持しなければならないかが分からず、ストレスが溜まる可能性がある。
【０００９】
また、放射線技師等の撮影者は、撮影の間、患者の姿勢が適切に維持されたかを監視し続けるなど、注意を払う必要があるが、撮影室で動態撮影を行う場合とは異なり、放射線発生装置等が搭載された回診車等を病室に持ち込んで撮影を行う場合には、患者以外の人等が放射線の照射野内に入り込んでしまう可能性がある。そのため、撮影者は、患者以外の人等が放射線の照射野内に入り込まないようにする等のためにさらに注意を払うことが必要になり、ストレスが溜まる可能性がある。
【００１０】
さらに、患者以外の人にとっては、放射線は目に見えないため放射線の照射が終了したか否か等が判別できず、例えば同じ病室の他の患者が放射線発生装置の近くを通行してよいかや、介助者や介護者等が被写体である患者に触れてよいのか等が分からずに、いつまでも行動が制限されたり緊張が続いたりするため、やはりストレスが溜まる可能性がある。
【００１１】
このように、特にＦＰＤカセッテや回診車等を病室に持ち込んで動態撮影等の動画撮影を行う場合には、患者や放射線技師等の撮影者だけでなく、患者以外の人が撮影現場の近くにいる可能性がある点で、病院等の撮影室で撮影する場合とは撮影環境が異なる点に注意する必要がある。
【００１２】
本発明は、上記の点を鑑みてなされたものであり、被写体である患者や当該患者以外の人等に、放射線の照射が終了したか否かを的確に認識させることが可能な放射線画像撮影システムを提供することを目的とする。
【課題を解決するための手段】
【００１３】
前記の問題を解決するために、本発明の放射線画像撮影システムは、
回診車に搭載された放射線発生装置、または可搬型の放射線発生装置と、
二次元状に配列された複数の放射線検出素子を備えるＦＰＤカセッテと、
を備え、前記ＦＰＤカセッテで一連の複数枚の放射線画像を撮影して動画撮影を行う放射線画像撮影システムにおいて、
さらに、一連の複数枚の放射線画像の撮影が終了するまでの残り時間を算出する算出装置と、
算出された前記残り時間を表示する表示装置と、
を備えることを特徴とする。
【発明の効果】
【００１４】
本発明のような方式の放射線画像撮影システムによれば、回診車に搭載された放射線発生装置や可搬型の放射線発生装置等を病室に持ち込んで被写体である患者の動態撮影等の動画撮影を行う際に、算出装置が算出した一連の複数枚の放射線画像の撮影が終了するまでの残り時間を表示装置上に表示する。そのため、被写体である患者や、放射線技師等の撮影者、被写体である患者以外の人等に、放射線の照射が終了したか否かを的確に認識させることが可能となる。
【００１５】
その際、放射線発生装置から照射される放射線は、被写体である患者や当該患者以外の人等の目には見えないが、表示装置上の残り時間の表示を見ることで、表示された残り時間が０でなければ、放射線が照射されており、放射線の照射があと何秒間続くかを知ることができる。また、残り時間が０であれば、放射線の照射が終了したことを的確に認識することが可能となる。
【００１６】
そのため、本発明のような方式の放射線画像撮影システムによれば、被写体である患者や当該患者以外の人等が放射線の照射によりストレスを感じることなく動画撮影を行うことが可能となる。
【図面の簡単な説明】
【００１７】
【図１】ＦＰＤカセッテの外観を示す斜視図である。
【図２】ＦＰＤカセッテの等価回路を表すブロック図である。
【図３】本実施形態に係る回診車の外観を示す斜視図である。
【図４】コンソールの構成を表すブロック図である。
【図５】本実施形態に係る放射線画像撮影システムの全体構成を表す図である。
【図６】残り時間を表示画面上に表示する構成例を表す図であり、（Ａ）デジタル表示で表示する構成例、（Ｂ）プログレスバーで表示する構成例を表す図である。
【図７】撮影者が携帯する携帯端末の構成例を表す図である。
【図８】（Ａ）複数の発光手段がアレイ状に並べられて構成された表示装置、（Ｂ）複数の発光手段が分散した状態で構成された表示装置で残り時間を表示する構成例を表す図である。
【図９】（Ａ）〜（Ｃ）点灯させる発光手段の位置と発光色とを変えて残り時間を表示するように構成した表示装置の構成例を表す図である。
【図１０】患者の胸部の動態撮影で撮影される各フレーム画像の例を表す図である。
【図１１】可搬型の放射線発生装置の例を示す図である。
【発明を実施するための形態】
【００１８】
以下、本発明に係る放射線画像撮影システムの実施の形態について、図面を参照して説明する。ただし、本発明は図示例のものに限定されるものではない。
【００１９】
なお、以下では、例えば後述する図５に示すように、被写体Ｈである患者がベッドＢ等に横臥した状態で動態撮影等の動画撮影が行われる場合について説明するが、例えば、患者がベッドＢ等の上で上半身を起こした状態や、起立した状態（立位）で動画撮影が行われる場合にも本発明を適用することが可能である。
【００２０】
また、以下では、回診車５０（後述する図３や図５参照）に搭載された放射線発生装置５７を病室に持ち込んで動画撮影を行う場合について説明するが、前述したように、可搬型の放射線発生装置５７＊（図１１参照）を病室に持ち込んで動画撮影を行う場合にも適用可能であり、この場合も本発明に含まれる。
【００２１】
［ＦＰＤカセッテの構成について］
まず、ＦＰＤカセッテの構成等について簡単に説明する。図１は、ＦＰＤカセッテの外観を示す斜視図であり、図２は、ＦＰＤカセッテの等価回路を表すブロック図である。図１や図２に示すように、ＦＰＤカセッテ１には、図示しないセンサー基板上に二次元状（マトリクス状）に配列された複数の放射線検出素子７が筐体２内に収納されて形成されている。
【００２２】
なお、図１では、ＦＰＤカセッテ１の筐体２の一方の側面に、電源スイッチ２５や切替スイッチ２６、コネクター２７、インジケーター２８等が配置されている場合が示されている。また、図示を省略するが、筐体２の例えば反対側の側面等に、外部と無線通信を行うためのアンテナ２９（後述する図２参照）が設けられている。
【００２３】
図２に示すように、各放射線検出素子７には、バイアス線９が接続されており、バイアス線９やそれらの結線１０を介してバイアス電源１４から逆バイアス電圧が印加される。また、各放射線検出素子７には、スイッチ素子としてＴＦＴ（Thin Film Transistor）８が接続されており、ＴＦＴ８は信号線６に接続されている。
【００２４】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００２５】
各信号線６は、読み出しＩＣ１６内の各読み出し回路１７にそれぞれ接続されている。そして、画像データＤの読み出し処理の際に、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。
【００２６】
相関二重サンプリング回路（図２では「ＣＤＳ」と記載されている。）１９は、増幅回路１８から出力された電圧値をアナログ値の画像データＤとして読み出して出力し、出力された画像データＤはアナログマルチプレクサー２１を介してＡ／Ｄ変換器２０に順次送信され、Ａ／Ｄ変換器２０でデジタル値の画像データＤに順次変換されて記憶手段２３に順次保存されるようになっている。
【００２７】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００２８】
制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や、リチウムイオンキャパシター等で構成される内蔵電源２４が接続されており、また、前述したアンテナ２９やコネクター２７を介して外部と無線方式や有線方式で通信を行うための通信部３０が接続されている。
【００２９】
また、制御手段２２は、上記のように、バイアス電源１４から各放射線検出素子７への逆バイアス電圧の印加を制御したり、走査駆動手段１５や読み出し回路１７等の動作を制御して、各放射線検出素子７からの画像データＤの読み出し処理を行わせ、読み出された画像データＤを記憶手段２３に保存したり、或いは、保存された画像データＤを、通信部３０を介して外部に転送する等の制御を行うようになっている。
【００３０】
［回診車について］
次に、本実施形態に係る回診車について説明する。図３は、本実施形態に係る回診車の外観を示す斜視図である。なお、以下では、回診車５０の支柱５６が設けられた側を回診車５０の前側、ハンドルバー６１が設けられた側を回診車５０の後ろ側として説明する。
【００３１】
本実施形態では、図３に示すように、カバー５１で覆われた回診車５０の基台５２の前方に前輪５３が、基台５２の後方に後輪５４がそれぞれ２輪ずつ設けられている。そして、カバー５１で覆われた本体部５５内に、後輪５４を回転駆動させるための図示しないモーター等の駆動部が内蔵されている。また、本体部５５内には、後述する放射線発生装置５７の図示しない制御部等も内蔵されている。
【００３２】
回診車５０の基台５２の前側には、支柱５６が略垂直方向に立設されるように設けられている。本実施形態では、支柱５６は、上下方向に伸縮可能とされており、支柱５６が上下方向に伸縮することで、その上端側に取り付けられている放射線発生装置５７も上下動するようになっている。なお、支柱５６は上下方向に伸縮せず、放射線発生装置５７が支柱５６に沿って昇降するように構成することも可能である。また、支柱５６の上端部に取り付けられている表示装置８０Ａについては、後で説明する。
【００３３】
また、本実施形態では、支柱５６が、その延在方向（すなわち上下方向）を中心として回動することで、放射線発生装置５７が支柱５６の延在方向を中心として回動することができるようになっている（図３中の矢印参照）。なお、放射線発生装置５７を支柱５６に固定し、支柱５６を回動させることで放射線発生装置５７を上記のように回動させるように構成することも可能である。
【００３４】
そして、回診車５０を搬送する際は、放射線発生装置５７を本体部５５の上方に回動させた状態（すなわち図３の状態）で搬送し、放射線発生装置５７から放射線を照射する際には、放射線発生装置５７を図３に示した状態から１８０°等の所定の角度だけ回動させて使用するようになっている。
【００３５】
放射線発生装置５７としては、図示しない回転陽極等を備える公知の装置を用いることが可能である。また、放射線発生装置５７の下側には、放射線発生装置５７から照射される放射線の照射野を絞るためのコリメーター５８等が取り付けられている。なお、コリメーター５８に取り付けられている表示装置８０Ｂについては、後で説明する。また、表示装置８０Ｂは、放射線発生装置５７に取り付けられていてもよい。また、表示装置８０Ｂも、表示装置８０Ａと同様に表示画面８１を備えているが、図３や後述する図５では、表示装置８０Ｂの表示画面８１が下向きになっている。
【００３６】
回診車５０の後ろ側の上部には、放射線技師等の撮影者が回診車５０を動かす際などに握るハンドルバー５９が設けられている。また、回診車５０の後方の側方には、本体部５５内にある放射線発生装置５７の制御部に放射線発生装置５７からの放射線の照射を指示するための曝射スイッチ６０が着脱可能に取り付けられている。
【００３７】
また、本実施形態では、回診車５０の最後方の位置には、ＦＰＤカセッテ１等を挿入可能なカセッテ保持部６１が設けられている。そして、回診車５０を病室に搬送する際に、ＦＰＤカセッテ１等をカセッテ保持部６１に挿入した状態で搬送することで、放射線技師等の撮影者がＦＰＤカセッテ１等を持ち運ぶ手間を省くことができるようになっている。
【００３８】
一方、回診車５０のカバー５１の上面部には、ＦＰＤカセッテ１の動作を制御したり、前述したようにＦＰＤカセッテ１から転送されてきた画像データＤを画像処理して放射線画像を生成したり、生成した放射線画像を表示画面７０ａに表示する等の処理を行うコンソール７０が配置されている。
【００３９】
本実施形態では、コンソール７０は、図４に示すように、ＣＰＵ７１やＲＯＭ７２、ＲＡＭ７３、入出力インターフェース７４等がバスに接続されたコンピューターとして構成されている。また、コンソール７０には、キーボードやマウス、タッチパネル等の入力手段７５や、ＣＲＴ（Cathode Ray Tube）やＬＣＤ（Liquid Crystal Display）等を備える前述した表示画面７０ａが接続されている。
【００４０】
また、コンソール７０には、入出力インターフェース７４を介して、ＦＰＤカセッテ１等と無線通信を行うためのアクセスポイントＡＰや、前述した放射線発生装置５７の制御部、前述した表示装置８０Ａ、８０Ｂ等が接続されている。そして、本実施形態では、コンソール７０は、経過時間を計測するタイマー７６を備えており、本発明に係る算出装置として機能するようになっているが、この点については後で説明する。
【００４１】
なお、本実施形態では、コンソール７０は、上記のように放射線発生装置５７の制御部と接続されており、放射線発生装置５７の制御部への管電圧や管電流、撮影時間（或いはｍＡｓ値）等の設定をコンソール７０上で行うことができるようになっているが、必ずしもこのように構成されている必要はない。なお、以下においても同様であるが、この場合の撮影時間とは、放射線発生装置５７からパルス状に照射される放射線や連続的に照射される放射線の、照射開始から照射終了までの全体的な時間を表す。そして、放射線がパルス状に複数回照射される場合には、１パルス分の照射時間（すなわち１パルス分の放射線の照射開始から照射終了までの時間）が別途設定される。
【００４２】
また、図３では、コンソール７０が回診車５０と一体的に形成されている場合が示されているが、例えば、ノート型のコンピューター等で構成されたコンソール７０を回診車５０上に積載するように構成することも可能である。また、前述したように、可搬型の放射線発生装置５７＊（図１１参照）等を病室Ｒ１に持ち込んで撮影を行う場合には、それとともに、ノート型のコンピューター等で構成されたコンソール７０や携帯端末として構成されたコンソール７０等が病室Ｒ１に持ち込まれる。
【００４３】
［本発明に特有の構成について］
次に、本実施形態に係る放射線画像撮影システムにおける本発明に特有の構成等について説明する。また、本実施形態に係る放射線画像撮影システムの作用についてもあわせて説明する。
【００４４】
本実施形態に係る放射線画像撮影システム１００では、図５に示すように、回診車５０が例えば病室Ｒ１に搬入されて動画撮影等が行われる。なお、図５では、病室Ｒ１内の他のベッドＢや、被写体Ｈである患者や放射線技師等の撮影者Ａ以外の人等の記載が省略されている。また、回診車５０に搭載された放射線発生装置５７を持ち込んで撮影を行う代わりに、可搬型の放射線発生装置５７＊（図１１参照）を持ち込んで撮影を行う場合も同様に説明される。
【００４５】
まず、通常の動画撮影等の手順を説明すると、放射線技師等の撮影者Ａは、撮影のための準備として、被写体Ｈである患者の撮影部位（例えば胸部）とベッドＢとの間にＦＰＤカセッテ１を差し込む等して、ＦＰＤカセッテ１をセットする。そして、回診車５０の放射線発生装置５７を上下動させたり回動させ、回診車５０をベッドＢに近づけて、放射線発生装置５７を被写体Ｈの上方に配置する。そして、必要に応じて、ＦＰＤカセッテ１の位置を調整したり、放射線発生装置５７の位置合わせを行ったり、或いはコリメーター５８の絞り具合を調整する等してポジショニング作業を行う。
【００４６】
そして、撮影者Ａは、ポジショニングが終了すると、回診車５０の後ろ側に移動し、曝射スイッチ６０を操作して、放射線発生装置５７から放射線を照射して動画撮影を行う。放射線発生装置５７から照射された放射線が被写体Ｈを介してＦＰＤカセッテ１に入射すると、ＦＰＤカセッテ１で１フレーム分の画像データＤが撮影される。そして、撮影が複数回行われ、複数フレーム分の画像データＤが撮影されることで動態撮影等の動画撮影が行われる。
【００４７】
その際、ＦＰＤカセッテ１からコンソール７０に、撮影ごとに（すなわち各フレームごとに）画像データＤを転送するように構成することも可能であり、一連の複数回の撮影が終了した時点で、複数フレーム分の画像データＤをまとめてコンソール７０に転送するように構成することも可能である。
【００４８】
なお、本実施形態では、撮影者Ａが曝射スイッチ６０を押し続ける間、放射線発生装置５７から放射線が照射され続けるが、設定した撮影時間が経過すると、撮影者Ａが曝射スイッチ６０を押し続けていても放射線発生装置５７からの放射線の照射は自動的に終了する。また、放射線の照射を開始した後、設定した撮影時間が経過していなくても、撮影者Ａが曝射スイッチ６０の押下を停止することで、放射線発生装置５７からの放射線の照射を停止させることができるようになっている。
【００４９】
［残り時間の算出について］
本実施形態に係る放射線画像撮影システムでは、本発明に係る算出装置であるコンソール７０は、動画撮影において一連の複数枚の放射線画像の撮影が終了するまでの残り時間τを算出するようになっている。
【００５０】
なお、以下では、表示装置８０Ａ、８０Ｂをまとめて表示装置８０という場合がある。また、以下では、コンソール７０が本発明に係る算出装置として機能する場合、算出装置７０と表して説明する。また、撮影が終了するまでの残り時間τとは、放射線発生装置５７から連続的に放射線を照射させる場合は、放射線発生装置５７から放射線の照射が開始されてから終了するまでの残り時間をいい、放射線発生装置５７からパルス状に放射線を照射させる場合は、最後の放射線画像を撮影するための放射線の照射が終了するまでの残り時間をいう。
【００５１】
具体的には、本実施形態では、算出装置７０は、撮影者Ａにより曝射スイッチ６０が押下されて放射線発生装置５７から放射線の照射が開始されると、放射線発生装置５７の制御部に設定された撮影時間Ｔａを通知させるとともに、タイマー７６（図４参照）に経過時間ｔの計測を開始させる。
【００５２】
なお、放射線発生装置５７の制御部に設定された撮影時間Ｔａを前もって算出装置７０に通知させておくように構成することも可能である。また、コンソール７０上で放射線発生装置５７の制御部への撮影時間Ｔａの設定を行うことができるように構成されている場合には、コンソール７０に撮影時間Ｔａが入力された時点で、それをＲＡＭ７３等に記憶しておくように構成することも可能である。
【００５３】
また、上記の場合、算出装置７０が、放射線発生装置５７から放射線の照射が開始されたことを知る必要があるが、例えば、放射線発生装置５７の制御部が放射線発生装置５７から放射線の照射を開始させる際に、算出装置７０に信号を送信する等して知らせるように構成することが可能である。
【００５４】
算出装置７０は、下記（１）式に従って、放射線発生装置５７の制御部に設定された撮影時間Ｔａからタイマー７６が計測した経過時間ｔを減算して残り時間τを算出し、算出した残り時間τの情報を各表示装置８０に送信するようになっている。
τ＝Ｔａ−ｔ    …（１）
【００５５】
［残り時間の表示について］
表示装置８０は、ＣＲＴやＬＣＤ等で構成された表示画面８１（図３や図５参照）を備えており、算出装置７０が算出した残り時間τの情報が算出装置７０から送信されてくると、それに基づいて表示画面８１上に残り時間τを表示するようになっている。
【００５６】
残り時間τを表示する方法としては、例えば図６（Ａ）に示すように、残り時間τをデジタル表示することが可能である。また、例えば図６（Ｂ）に示すように、表示画面８１上にプログレスバー８２を表示させ、残り時間τを例えば右側から左向きに延びるバーの長さで表し、残り時間τが短くなるにつれてバーの長さが短くなっていくように表示することで、残り時間τを表示するように構成することも可能である。
【００５７】
一方、図３や図５に示したように、例えば回診車５０の支柱５６の上端部に表示装置８０Ａを取り付けて、その表示画面８１上に残り時間τを表示するようにすれば、被写体Ｈである患者や、病室Ｒ１内にいる当該患者以外の人に、残り時間τを表示して知らせることが可能となる。
【００５８】
また、図３や図５に示したように、例えば放射線発生装置５７やコリメーター５８に表示装置８０Ｂを取り付けて、その表示画面８１を下方に向けるように配置すると、前述したように、放射線発生装置５７やコリメーター５８は被写体Ｈの上方に配置されているため、ベッドＢ上に横臥した被写体Ｈである患者が表示装置８０Ｂの表示画面８１上に表示された残り時間τを見やすくなる。
【００５９】
その際、表示装置８０（８０Ａ、８０Ｂ）は、表示画面８１の向きを変えることができるように構成されていることが好ましい。このように構成されていれば、表示装置８０の表示画面８１の向きを適切に変えて、被写体Ｈである患者や、病室Ｒ１内にいる当該患者以外の人等が、表示画面８１上に表示された残り時間τを的確に見ることができるようにすることが可能となる。
【００６０】
なお、残り時間τを、コンソール７０の表示画面７０ａ上に表示させるように構成することも可能であり、この場合は、コンソール７０が本発明に係る表示装置として機能し、コンソール７０の表示画面７０ａが本発明に係る表示装置の表示画面として機能することになる。
【００６１】
また、表示装置８０は、回診車５０の支柱５６の上端部や、放射線発生装置５７やコリメーター５８以外の場所に取り付けることも可能であり、例えば回診車５０の支柱５６の中腹（上端部ではない位置）やカバー５１など、被写体Ｈである患者や、病室Ｒ１内にいる当該患者以外の人や、撮影者Ａが見ることができる場所であれば回診車５０のどのような場所に取り付けてもよい。
【００６２】
さらに、本実施形態では、表示装置８０を回診車５０にいわば後付けで取り付けることを前提として説明しているが、表示装置８０を回診車５０の所定の場所に一体的に形成するように構成することも可能である。
【００６３】
このように、表示装置８０を回診車５０に取り付けたり一体的に形成して、表示装置８０が回診車５０に搭載されるように構成すれば、回診車５０を病室Ｒ１に搬送する際に、表示装置８０が回診車５０とともに搬送されるため、表示装置８０を、回診車５０とは別に搬送する手間を省くことが可能となる。
【００６４】
しかし、表示装置８０を、回診車５０とは別体に設けることも可能であり、その場合には、例えば、撮影者Ａは、その表示画面８１上の残り時間τの表示が被写体Ｈである患者や、病室Ｒ１内にいる当該患者以外の人等に見やすい適切な場所に表示装置８０を配置することが可能となり、残り時間τを患者や他の人等に的確に知らせることが可能となる。
【００６５】
［効果］
以上のように、本実施形態に係る放射線画像撮影システム１００によれば、回診車５０に搭載された放射線発生装置５７や可搬型の放射線発生装置５７＊（図１１参照）から放射線を照射して行う動態撮影等の動画撮影において、一連の複数枚の放射線画像の撮影が終了するまでの残り時間τを表示装置８０に表示させるように構成した。
【００６６】
そのため、被写体Ｈである患者や、病室Ｒ１に出入りする当該患者以外の人は、放射線は目に見えないため放射線発生装置５７等を見ても放射線が照射されているか照射が終了したかは分からないが、表示装置８０上の残り時間τの表示を見ることで、表示された残り時間τが０でなければ、放射線が照射されており、放射線の照射があと何秒間続くかを知ることができ、また、残り時間τが０であれば、放射線の照射が終了したことを的確に認識することが可能となる。
【００６７】
そのため、被写体Ｈである患者以外の人等（すなわち同じ病室Ｒ１にいる他の患者等や被写体Ｈである患者の介助者や介護者等）は、放射線発生装置５７から放射線が照射されている間は、放射線発生装置５７や被写体Ｈの近くを通行できない等の行動の制限や被写体Ｈである患者に触れてはいけない等の制約があるが、表示装置８０上の残り時間τの表示を見ることで、その行動の制限や制約があと何秒続くかを知り、或いは放射線の照射が終了すればそれを認識して行動の制限や制約が解除されたことを的確に知ることが可能となる。
【００６８】
そのため、本実施形態に係る放射線画像撮影システム１００によれば、被写体Ｈである患者以外の人等に、放射線の照射が終了したか否かを的確に認識させることが可能なり、それらの人等が放射線の照射によりストレスを感じることがなくなる。
【００６９】
また、被写体Ｈである患者も、表示装置８０上の残り時間τの表示を見ることで、姿勢をあと何秒間維持しなければならないかや、残り時間τが０になることで放射線の照射が終了したことを的確に認識することが可能となるため、同様に、放射線の照射によりストレスを感じることがなくなる。
【００７０】
さらに、放射線技師等の撮影者Ａは、前述したように、撮影の間、患者の姿勢が適切に維持されたかを監視し続けるなど、注意を払う必要があるが、上記のように、被写体Ｈである患者以外の人等が、表示装置８０上の残り時間τの表示を見て放射線が照射されている場合にはそれを的確に認識して、自主的に放射線発生装置５７や被写体Ｈに近寄ったり被写体Ｈである患者に触れたりしないようになるため、被写体Ｈである患者以外の人が放射線の照射野内に入り込まないようにする等のために注意を払う必要がなくなり、ストレスを感じることがなくなる。
【００７１】
［残り時間τを表示するまでの手順の変形例］
なお、上記の実施形態では、算出装置であるコンソール７０がタイマー７６（図４参照）を備え、コンソール７０が、上記（１）式に従って、設定された撮影時間Ｔａからタイマー７６が計測した経過時間ｔを減算して残り時間τを算出し、その情報を表示装置８０に送信して表示させる場合について説明した。
【００７２】
しかし、そのように構成する代わりに、例えば、表示装置８０が算出装置としての機能を備えるように構成することも可能である。すなわち、表示装置８０がタイマーを備えるように構成し、放射線発生装置５７から放射線の照射が開始されると、コンソール７０や放射線発生装置５７の制御部等から表示装置８０に照射開始信号を送信し、表示装置８０は、照射開始信号を受信すると、タイマーによる経過時間ｔの計測を開始させるとともに、設定された撮影時間Ｔａからタイマーが計測した経過時間ｔを減算して残り時間τを算出して表示するように構成することも可能である。
【００７３】
なお、この場合、設定された撮影時間Ｔａは、コンソール７０や放射線発生装置５７の制御部等から、予め、或いは照射開始信号の送信と同時に表示装置８０に送信するように構成される。そして、このように構成しても、上記の実施形態と同様の有益な効果を得ることが可能となる。なお、上記の実施形態のように、算出装置７０をコンソール７０等で構成し、算出装置７０で残り時間τを算出するように構成すれば、各表示装置８０がそれぞれタイマーを備える必要がなくなる等のメリットがある。
【００７４】
［算出装置の変形例］
また、上記の実施形態では、コンソール７０が本発明に係る算出装置として機能するように構成した場合について説明した。しかし、その代わりに、例えば回診車５０に搭載されている放射線発生装置５７の制御部を本発明に係る算出装置として機能させるように構成することも可能である。
【００７５】
このように、放射線発生装置５７の制御部を本発明に係る算出装置として機能させたり、或いは、上記の実施形態のように、算出装置として機能するコンソール７０を回診車５０と一体的に形成したり、ノート型のコンピューター等で構成されたコンソール７０を回診車５０上に積載するように構成することで、回診車５０を病室Ｒ１に搬送する際に、算出装置が回診車５０とともに搬送される。そのため、算出装置を回診車５０とは別に搬送する手間を省くことが可能となる。
【００７６】
また、例えば図７に示すように、放射線技師等の撮影者Ａに携帯端末９０を携帯させるように構成し、携帯端末９０を本発明に係る算出装置として機能させるように構成することも可能である。このように構成すれば、撮影者Ａが回診車５０から離れた位置で携帯端末９０を操作することが可能となり、本発明に係る算出装置を回診車５０から離れた位置でも操作することが可能となる。
【００７７】
［表示装置の変形例］
［変形例１］
一方、前述したように、コンソール７０を本発明に係る表示装置として機能させ、残り時間τをコンソール７０の表示画面７０ａ上に表示させるように構成することが可能であるが、上記の携帯端末９０を本発明に係る表示装置として機能させ、残り時間τを携帯端末９０の表示画面９１上に表示させるように構成することも可能である。
【００７８】
その際、上記のように、携帯端末９０を本発明に係る算出装置として機能させ、携帯端末９０に算出装置と表示装置の両方の機能を持たせるように構成することも可能であり、また、コンソール７０等を算出装置として機能させ、携帯端末９０は表示装置として機能させるように構成することも可能である。
【００７９】
［変形例２］
また、上記の実施形態や変形例１等では、表示装置８０が表示画面８１を備えており、その表示画面８１上に残り時間τを表示させる場合について説明した（図６（Ａ）、（Ｂ）等参照）。しかし、表示装置８０が必ずしも表示画面８１を備えている必要はなく、例えば以下の各変形例のように構成することも可能である。そして、以下の各変形例のように構成しても、上記の実施形態等と同様の有益な効果を得ることが可能となる。
【００８０】
［変形例２−１］
図示を省略するが、例えば、表示装置８０を７セグメントＬＥＤ等で構成し、それを適宜点灯させて残り時間τを数字で表して表示するように構成することも可能である。
【００８１】
［変形例２−２］
また、例えば図８（Ａ）に示すように、表示装置８０を、ＬＥＤ等の複数の発光手段８３をアレイ状に並べて形成することも可能である。そして、この場合、例えば、放射線の照射開始時には各発光手段８３を点灯させておき、残り時間τが短くなるにつれて（すなわち経過時間ｔが経過するにつれて）例えば左側の発光手段８３から順に消灯していき、点灯している発光手段８３（図中網掛けで示されている発光手段８３）の数を減らすようにして、残り時間τを表示するように構成することも可能である。
【００８２】
［変形例２−３］
なお、表示装置８０を複数の発光手段８３で形成する場合、必ずしも図８（Ａ）に示したようにアレイ状に並べて形成する必要はなく、例えば図８（Ｂ）に示すように、複数の発光手段８３が分散した状態で表示装置８０が構成されていてもよい。そして、この場合も、例えば複数の発光手段８３が適宜決められた順番で消灯していき、点灯している発光手段８３の数を減らすことによって残り時間τを表示することが可能となる。
【００８３】
［変形例２−４］
また、上記の［変形例２−２］や［変形例２−３］では、図６（Ｂ）に示したプログレスバー８２の場合と同様に、点灯している発光手段８３の数を減らすこと（プログレスバー８２におけるバーの長さを短くすることに相当する。）によって残り時間τを表示する場合を示したが、例えば、表示装置８０において点灯させる発光手段８３の位置をシフトさせる等して変えることによって残り時間τを表示するように構成することも可能である（例えば後述する図９（Ａ）〜（Ｃ）参照）。
【００８４】
［変形例２−５］
一方、上記の各変形例では、残り時間τを表示する際に、複数のＬＥＤや発光手段８３が同一の発光色で点灯されることが想定されているが、発光色をＬＥＤや発光手段８３ごとに変えるようにして残り時間τを表示するように構成することも可能である。
【００８５】
［変形例２−６］
また、例えば図９（Ａ）〜（Ｃ）に示すように、残り時間τが短くなるにつれて（すなわち経過時間ｔが経過するにつれて）、点灯させる発光手段８３を例えば左側から順にシフトさせる等して点灯させる発光手段８３の位置を変えていくとともに、各発光手段８３の発光色を変えて残り時間τを表示するように表示装置８０を構成することも可能である。
【００８６】
すなわち、この場合、信号機において青（緑）→黄→赤の順に信号が変わるのと同じように、残り時間τが短くなるにつれて点灯する発光手段８３の位置が順次右側にシフトするとともに、発光色が変わっていく。なお、所定の目的以外の目的では使用することができない発光色があるため、上記の［変形例２−４］やこの［変形例２−５］で使用される発光色は、それらの所定の目的のみで使用可能な発光色以外の発光色が用いられる。
【００８７】
表示装置８０を、以上の各変形例のように構成することで、上記の実施形態の場合のように表示装置８０が表示画面８１を備えていなくても、上記の実施形態と同様に、表示装置８０上に残り時間τを的確に表示させることが可能となる。
【００８８】
なお、表示装置８０は、被写体Ｈである患者や、当該患者以外の人等に残り時間τを的確に表示して知らせることができるものであればよく、上記の実施形態や各変形例の場合に限定されない。
【００８９】
また、本発明が上記の各実施形態や各変形例等に限定されず、本発明の趣旨を逸脱しない限り、適宜変更可能であることは言うまでもない。
【符号の説明】
【００９０】
１  ＦＰＤカセッテ
７  放射線検出素子
５０  回診車
５７  放射線発生装置
５７＊  可搬型の放射線発生装置
７０  コンソール（算出装置、表示装置）
７０ａ  表示画面
７６  タイマー
８０、８０Ａ、８０Ｂ  表示装置
８１  表示画面
９０  携帯端末（算出装置、表示装置）
９１  表示画面
１００  放射線画像撮影システム
ｔ  経過時間
Ｔａ  撮影時間
τ  残り時間
【図１】
2017104200.tif 000003
【図２】
2017104200.tif 000004
【図３】
2017104200.tif 000005
【図４】
2017104200.tif 000006
【図５】
2017104200.tif 000007
【図６】
2017104200.tif 000008
【図７】
2017104200.tif 000009
【図８】
2017104200.tif 000010
【図９】
2017104200.tif 000011
【図１０】
2017104200.tif 000012
【図１１】
2017104200.tif 000013